(57)【特許請求の範囲】
【請求項１】
複数のセルを備えたアクティブマトリックス有機ＥＬディスプレイ（ＡＭＯＬＥＤ）上に、画像を表示するための方法であって、複数の基本データ信号を備えるデータ信号が、２つの連続するサブフレームグループに分割されるビデオフレームの間に、ある明度レベルの画素の前記画像を表示するために各セルに適用され、前記ビデオフレームの間に前記セルによって表示される明度レベルは、前記基本データ信号の振幅と前記サブフレームの期間とに依存し、前記方法は、
第１のサブフレームグループの間に前記画像の第１の明度レベルの画素を表示し、および第２のサブフレームグループの間に前記画像の第２の明度レベルの画素を表示するために、前記ビデオフレームを前記第１のサブフレームグループと前記第２のサブフレームグループに分割するステップであって、前記第１の明度レベルと前記第２の明度レベルとが同じか、または互いにわずかに異なる、前記分割するステップを含み、
２つのサブフレームグループ内の複数のサブフレームのうち、それぞれのサブフレームグループにおける互いに順番が対応するサブフレームが、同一期間かまたは類似の期間を有し、
前記２つのサブフレームグループは、ちらつきが重大な入力信号については、同じビデオ値から抽出して、広範囲のちらつきを軽減させ、ちらつきが重大ではない入力信号については、異なるビデオ値から抽出して、よりよい動き表現を提供する、前記方法。
【請求項２】
１つのビデオフレームの２つのサブフレームグループ内のサブフレームの数は等しい、請求項１に記載の方法。
【請求項３】
１つのビデオフレームの前記第１および第２のサブフレームグループは、同一期間を有し、同じ画像を表す、請求項１に記載の方法。
【請求項４】
各サブフレームグループは、１００Ｈｚプログレッシブソースの独立した画像に属する、請求項１乃至３のいずれかに記載の方法。
【請求項５】
複数のセルを備えたアクティブマトリックス有機ＥＬディスプレイ（ＡＭＯＬＥＤ）上に画像を表示するための装置であって、
複数の有機ＥＬセルを備えたアクティブマトリックスと、
ライン毎に前記アクティブマトリックスの前記セルを選択するための行ドライバと、
ビデオフレームの間に前記画像の複数の明度レベルの画素を表示するために前記セルに適用されるべき複数のデータ信号を受信するための列ドライバと、
前記複数のデータ信号と、前記行ドライバを制御する複数の制御信号とを生成するためのデジタル処理ユニットと
を備え、複数の基本データ信号を備えるデータ信号が、２つの連続するサブフレームグループに分割されるビデオフレームの間に、ある明度レベルの画素の前記画像を表示するために各セルに適用され、前記ビデオフレームの間に前記セルによって表示される前記明度レベルは、前記複数の基本データ信号の振幅および前記サブフレームの期間に依存し、
第１のサブフレームグループの間に前記画像の第１の明度レベルの画素を表示し、および第２のサブフレームグループの間に前記画像の第２の明度レベルの画素を表示するために、前記ビデオフレームを、前記第１のサブフレームグループと、前記第２のサブフレームグループとに分割するためのデジタル処理ユニットであって、前記第１の明度レベルと前記第２の明度レベルとが同じか、または互いにわずかに異なる、前記デジタル処理ユニットが提供され、
２つのサブフレームグループ内の複数のサブフレームのうち、それぞれのサブフレームグループにおける互いに順番が対応するサブフレームが同一期間かまたは類似の期間を有し、
前記デジタル処理ユニットにより、ちらつきが重大な入力信号については、前記２つのサブフレームグループを、同じビデオ値から抽出して、広範囲のちらつきを軽減させ、ちらつきが重大ではない入力信号については、前記２つのサブフレームグループを、異なるビデオ値から抽出して、より良い動き表現を提供する、前記装置。
【請求項６】
前記アクティブマトリックスを、１つのビデオフレームが１つのサブフレームグループに使用される第１のビデオモード、および１つのビデオフレームが２つのサブフレームグループに分割される第２のビデオモードにスイッチングするためのコントローラをさらに含むことを特徴とする請求項５に記載の装置。
【請求項７】
前記コントローラは、１つのビデオフレームがサブフレームを備えないか、または対応する基本データ信号が同じ最大値を有する複数のサブフレームを備えるＰＣモードへのスイッチングを可能にすることを特徴とする請求項６に記載の装置。
【発明の詳細な説明】
【技術分野】
【０００１】
本発明は、アクティブマトリックス有機ＥＬディスプレイ上に画像を表示する方法に関する。さらに、本発明は、複数の有機ＥＬセルを備えるアクティブマトリックスと、上記アクティブマトリックスのセルをライン毎に選択するための行ドライバと、ビデオフレームの間に画像の画素のグレースケールレベルを表示するために、セルに適用されるべきデータ信号を受信するための列ドライバと、上記データ信号、および行ドライバを制御する制御信号を生成するためのデジタル処理ユニットとを備える画像を表示するための装置に関する。
【背景技術】
【０００２】
アクティブマトリックスＯＬＥＤ、すなわちＡＭＯＬＥＤの構造は、よく知られている。図１によると、これは以下のものを備える。
−いくつかのＴＦＴ  Ｔ１、Ｔ２と、ＯＬＥＤ材料に接続されたコンデンサＣとの組合せをセル毎に含む、アクティブマトリックス１。コンデンサＣは、ＴＦＴの上方で、ビデオフレームの一部分の間に値を格納するメモリコンポーネントとして働き、この値は、次のビデオフレーム、またはこのビデオフレームの次の部分の間に、セル２によって表示されるべきビデオ情報を表す。ＴＦＴは、セル２の選択、コンデンサ内へのデータの格納、および格納されたデータに対応するビデオ情報のセル２による表示を可能にするスイッチとして働く。
−その内容をリフレッシュするために、ライン毎にマトリックス１のセル２を選択する、行ドライバまたはゲートドライバ３。
−現在選択されているラインの各セル２内に格納されるべきデータを送達する、列ドライバまたはソースドライバ４。このコンポーネントは、各セル２についてビデオ情報を受信する。
−必要なビデオおよび信号処理ステップを適用し、必要な制御信号を行ドライバ３および列ドライバ４に送達する、デジタル処理ユニット５。
【０００３】
実際には、ＯＬＥＤのセル２を駆動するには２つの方式がある。第１の方式では、デジタル処理ユニット５により送信される各デジタルビデオ情報は、列ドライバ４によって、振幅（amplitude）がビデオ情報に比例する電流に変換される。この電流は、マトリックス１の適切なセル２に提供される。第２の方式では、デジタル処理ユニット５により送信されるデジタルビデオ情報は、列ドライバ４によって、振幅がビデオ情報に比例する電圧に変換される。この電流または電圧は、マトリックス１の適切なセル２に提供される。
【０００４】
しかし、主に、ＯＬＥＤは電流駆動され、その結果、電圧ベースで駆動されるシステムはそれぞれ、電圧電流変換器に基づいて、適切なセルの発光を達成する。
【０００５】
上記から、行ドライバ３はライン毎に選択を適用しなければならないだけであるので、行ドライバ３は非常に簡単な機能を有すると推測することができる。これは、程度の差はあるがシフトレジスタである。列ドライバ４は、実際のアクティブな部分を表し、高レベルのデジタルアナログ変換器と見なされることがある。
【０００６】
ＡＭＯＬＥＤのそのような構造を使用したビデオ情報の表示を、図２に表す。入力信号は、デジタル処理ユニットに転送され、デジタル処理ユニットは、内部処理の後に、行選択のためのタイミング信号を、列ドライバ４に送信されるデータと同期される行ドライバに送達する。列ドライバ４に送信されるデータは、パラレルまたはシリアルのいずれかである。さらに、列ドライバ４は、別個の基準信号装置（reference signaling device）６によって送達される基準信号（reference signaling）を処理する。このコンポーネント６は、電圧駆動回路の場合には１組の基準電圧を送り、または電流駆動回路の場合には１組の基準電流を送る。最高基準が白色用に使用され、最低基準が最小グレーレベル用に使用される。次いで、列ドライバ４は、マトリックスセル２に、セル２によって表示されるべきデータに対応する電圧または電流の振幅を適用する。
【０００７】
周波数倍増（frequency doubling）を伴わないグレースケール表現（grayscale rendition）（例えば、６０Ｈｚ以上の場合）は、本出願人の先の国際特許出願（特許文献１）に提示されており、背景的な参考として使用される。その発想は、今日使用されるようなアナログフレームを、ＰＤＰで使用されているものと類似の複数のアナログサブフレームに分割するというものであった。しかし、ＰＤＰでは、各サブフレームを、デジタル方式（完全にＯＮまたはＯＦＦ）で制御することしかできないのに対して、その文献で提示された概念では、各サブフレームが、可変の振幅を有するアナログサブフレームとなる（図３を比較されたい）。サブフレームＳＦ０からＳＦＮの数は、２つまたはそれ以上でなければならず、その実際の数は、ＡＭＯＬＥＤのリフレッシュレート（各画素内に配置される値を更新するのに必要な時間）に依存する。
【０００８】
図３は、元のビデオフレームから６つのサブフレーム（ＳＦ０からＳＦ５）への分割に基づく一例を図示している。この数は、一例として与えられるにすぎない。
【０００９】
６つのサブフレームＳＦ０からＳＦ５は、期間（duration）Ｄ０からＤ５をそれぞれ有する。各サブフレームＳＦ０からＳＦ５の間に、信号振幅に対応するそれぞれの基本データ信号（elementary data signal）が、グレースケールレベルを表示するために使用される。図３では、独立したアナログ振幅が両側矢印で示されている。
【００１０】
しきい値Ｃmaxは、サブフレームの最大データ値を表す。各基本データ信号の振幅、すなわち図３に各サブフレームに関して示される振幅は、Ｃblackであるか、またはＣminよりも大きい。ただし、Ｃblackは、光を放出できないようにするためにセルに適用されるべき基本データ信号の振幅を示す。Ｃblackよりも大きいＣminは、データ信号の値を表すしきい値であって、Ｃminの上では、セルの機能は、良好（ファストライド（fast ride）、良好な安定性）であると見なされる。さらに、リフレッシュサイクルは、コンデンサＣ（図１を比較されたい）に格納された情報を更新するために、２つのサブフレーム間に適用される。
【００１１】
図４および図５は、白色レベル（ビデオレベル２５５）の表現を、先に開示したＣmaxの２つの可能性（Ｃmax＝Ｃ255またはＣmax＞Ｃ255）について図示する。
【００１２】
図４のサブフレーム構造は、ＣＲＴの光の放出に類似した光の放出をもたらすのに対して、図５のサブフレーム構造に基づく白色の放出は、従来の方法に類似している。
【００１３】
どちらの解決策も、低レベルの表現にとっては同等である。同様に、これらの解決策は、動き表現（motion rendition）については、中間グレーまでの低レベルの表現に関して類似している。しかし、図４で説明された概念には、全てのレベル、特に高レベル範囲内に、より良い動き表現をもたらすという利点がある。一般に、図４の解決策は、さらに多くの利点を提示する。しかし、いくつかのサブフレームに使用される最大駆動信号Ｃmaxは、はるかに大きく、ディスプレイの寿命に影響を与えることがある。この事項により、どちらの概念を使用すべきかが決定される（両方の折衷案も現実的である）。
【００１４】
図４の解決策に関する別の主要な利点は、サブフレームのアナログ振幅が、図２に示されるドライバを介して定義されることである。このドライバが、例えば６ビットドライバである場合、各サブフレームは、そのアナログ振幅において６ビットの解像度（resolution）を有する可能性がある。最後に、フレームを、それぞれが６ビットベースである多くのサブフレームに分割することで、サブフレームの組合せにより、さらに多くのビットを処理することができる。
【００１５】
周波数倍増を伴わないこのグレースケール表現の他に、周波数倍増を伴うグレースケール表現（例えば、５０Ｈｚまたは大型画面の場合）の概念も知られている。
【００１６】
進化に由来すると、人間は、獲物を捕らえるために、その視野の中央に非常に高い視力を必要とするハンターであった。それと同時に、図６に示されるように、人間は、危険（野生動物、敵などのわずかな動き）を、視野の周辺で検出するための可能性を必要としていた。したがって、網膜は、非均質（non-homogeneous）の感覚神経層（neurosensory layer）である。その中心部分（窩）は、空間解像度（spatial resolution）の点で最大視力をもたらすが、周辺領域は、動き（時間解像度（temporal resolution））に対してより敏感である。時間周波数に対するこの周辺部の感度を、さまざまなレベルの輝度に関して、図７にグラフで説明する。こうした目の挙動が、視野の周辺部にのみ現れる広範囲のちらつき（large-area flicking）の影響の原因である。さらに、この影響は、シーン（scene）の輝度とともに大きく増大する。
【００１７】
新規なフラットディスプレイ技術の場合、画面の明るさは、パネルの有効性（panel efficacy）によって制限され、常に改良されている。この明るさの改良とますます増大する画面サイズとがあいまって、広範囲のちらつきの感知（perception）が、顧客の目に対して実際に妨害をきたす結果となるまで増大することとなる。
【００１８】
標準的なＡＭＯＬＥＤ駆動の場合、信号は、フレーム全体の中で一定であり、ＣＲＴの場合とは違ってパルスではないので、時間周波数（temporal frequency）という実際の概念はない。したがって、広範囲のちらつきという実際の問題もない。しかし、図４に示すパルス化グレースケール表現を実施する場合には、ちらつきの概念がやはり入る。
【００１９】
【特許文献１】国際公開第０５／１０４０７４号パンフレット
【発明の開示】
【発明が解決しようとする課題】
【００２０】
パルス化グレースケール表現を実施するときに、動き表現の利点を維持しながら、ちらつきの概念を低減させることが、本発明の目的である。
【課題を解決するための手段】
【００２１】
本発明によると、この目的は、複数のセルを備えるアクティブマトリックス有機ＥＬディスプレイ（ＡＭＯＬＥＤ）内に画像を表示する方法であって、データ信号は、第１のサブフレームグループの間に画像の画素の第１のグレースケールレベルを表示するため、および少なくとも第２のサブフレームグループの間に画像の画素の少なくとも第２のグレースケールレベルを表示するために、各セルに適用され、第１のサブフレームグループおよび少なくとも第２のサブフレームグループは、ビデオフレームを構成しており、各サブフレームグループは、複数のサブフレームに分割され、第１のサブフレームグループおよび第２のサブフレームグループはそれぞれ、ディスプレイ（ＡＭＯＬＥＤ）において別々の完全な画像に属しており、セルのデータ信号は、複数の独立した基本データ信号を備え、前記複数の基本データ信号のそれぞれが、サブフレームの間にそのセルに適用され、それぞれのサブフレームグループの間にそのセルによって表示されるグレースケールレベルが、基本データ信号の振幅、およびサブフレームの期間に依存する方法によって、解決される。
【００２２】
さらに、複数の有機ＥＬセルを備えるアクティブマトリックスと、ライン毎に前記アクティブマトリックスのセルを選択するための行ドライバと、ビデオフレームの間に画像の画素のグレースケールレベルを表示するために、セルに適用されるべきデータ信号を受信するための列ドライバと、前記データ信号、および行ドライバを制御する制御信号を生成するためのデジタル処理ユニットとを備える、画像を表示するための装置であって、ビデオフレームは、第１のサブフレームグループおよび少なくとも第２のサブフレームグループに分割され、各サブフレームグループは、複数のサブフレームに分割され、第１のサブフレームグループおよび第２のサブフレームグループはそれぞれ、アクティブマトリックスに表示されるべき別々の完全な画像に属しており、複数の独立した基本データ信号をそれぞれが備える複数のデータ信号を、前記デジタル処理ユニットによって生成することができ、前記基本データ信号のそれぞれが、あるサブフレームの間に列ドライバを介してあるセルに適用可能であり、それぞれのサブフレームグループの間にそのセルによって表示されるグレースケールレベルが、基本データ信号の振幅、およびサブフレームの期間に依存する装置を、提供する。
【００２３】
換言すると、アクティブマトリックス有機ＥＬディスプレイの各セルは、１つのビデオフレーム期間中に、少なくとも２回独立に駆動される。したがって、各セルは、単一ビデオフレームの間に、少なくとも２つのグレーレベルを生成する。当然、各ビデオフレームを、３つ、４つ、またはそれ以上のサブフレームグループに分割することもできる。
【００２４】
好ましくは、１つのビデオフレームの２つのサブフレームグループ内にあるサブフレームの数は等しい。しかし、１つのビデオフレームの２つのサブフレームグループ内にあるサブフレームの数は、異なるものとすることができる。これにより、画像符号化に対するより大きな柔軟性が得られる。
【００２５】
１つビデオフレームの２つのサブフレームグループの対応するサブフレームは、全く同じではないが類似の期間を有することができる。これもまた、画像符号化に対する柔軟性を高める。
【００２６】
さらに好ましい一実施形態によると、１つのビデオフレームの第１および第２のサブフレームグループは、同一である。したがって、同じ画像が、ビデオフレーム期間中に２回表示される。その結果、広範囲のちらつきがあまり見えなくなる。
【００２７】
さらに、各サブフレームグループは、１００Ｈｚプログレッシブソースの独立した画像に属することができる。これにより、完全な画像を、ビデオフレーム期間中に少なくとも２回表示することが可能になる。
【００２８】
本発明の装置にはさらに、アクティブマトリックスを、１つのビデオフレームが１つのサブフレームグループに使用される第１のビデオモードと、１つのビデオフレームが少なくとも２つのサブフレームグループに分割される第２のビデオモードとにスイッチングするためのコントローラを備えることができる。したがって、コントローラは、入力形式またはユーザ選択に応じて、正しい表示駆動を選択することができる。
【００２９】
さらに、コントローラは、１つのビデオフレームが単一のサブフレームによって表示されるＰＣモードへのスイッチングを可能にすることができる。これは、単純なＰＣモニタを駆動する際に有用である。
【００３０】
本発明の例示的な実施形態を、図面に示し、以下の記載においてより詳細に説明する。
【発明を実施するための最良の形態】
【００３１】
本発明の基本的な発想は、新規なアナログサブフレームの分散（distribution）にある。このアナログサブフレームの分散は、図８に示されるように、類似の時間期間（temporal duration）を有し、かつ２つのハーフフレーム期間にある、２つのサブフレームグループに基づいている。これ（解決策）は、人工的な周波数倍増をもたらす。入力フレームは、２つの同等のハーフフレームに分割され、そのそれぞれが、ある程度の数のサブフレームにさらに分割される（この例では２×６）。
【００３２】
サブフレームＳＦｎとＳＦ’ｎが、自動的に全く同じではないが、類似の期間を有することが必須である。両方のハーフフレーム内のサブフレーム数は、両方のハーフフレームの合計の期間がほぼ同じである限り、異なるものとすることもできる。さらに、両方のハーフフレーム内の、対応するサブフレーム、例えばＳＦ０とＳＦ’０の振幅も、わずかに異なるものとすることができる。これにより、画像符号化による、より大きな柔軟性が許容される。しかし、期間が全く同じである場合は、ちらつきに関する品質は、より良くなる。対象とされるアプリケーションにとって適切な折衷案（compromise）を見出す必要がある。
【００３３】
図８は、各ハーフフレームの終わりにブランキング期間（blanking period）を示す。このブランキング期間は、必須のものではないが、ハーフフレームのマージン（margin）としての働きをする。
【００３４】
いずれの場合でも、アプリケーションは、５０Ｈｚのような低周波数に限定されるだけではない。目に近い（close-to-eye）アプリケーション（ポータブルデバイス）に、または、より高い周波数を使用するが、目の周辺部により影響を与え、それゆえより重要であるより大型の画面にも適している。
【００３５】
本発明の符号化は、ＡＭＯＬＥＤをアナログサブフレーム符号化で制御するとき、人工的な周波数倍増によって、広範囲のちらつきを減少させることができる。以下では、本発明の符号化を使用することによる、１００ＨｚのＡＭＯＬＥＤについての２つの可能性が示される。
−標準的なアプリケーションでは、ピクチャソースは、５０Ｈｚインターレースであり、信号は、中間ブロックによりプログレッシブ５０Ｈｚ信号に変換される。この新しい５０Ｈｚプログレッシブ信号が、図８に示される符号化のための入力として使用される。この場合、サブフレームグループＳＦｎおよびＳＦ’ｎの両方とも、同じ入力ピクチャに基づいている。これにより、かつての１００Ｈｚ  ＣＲＴの場合と同様に、ジャダ（judder）が導入される。
−改良版は、１００Ｈｚインターレース信号を送達する１００Ｈｚ  ＴＶシャーシ（または類似のフロントエンドブロック）に基づいている。次いでこの信号は、ピクチャの全ラインを使用する１００Ｈｚプログレッシブ信号に変換されなければならない。この場合、第１のグループの全てのサブフレームＳＦｎが、奇数の送達ピクチャ（odd delivered picture）に対応し、第２のグループの全てのサブフレームＳＦ’ｎが、偶数の送達ピクチャ（even delivered picture）に対応することになる。
【００３６】
図９は、ＡＭＯＬＥＤに関するアナログサブフレーム符号化概念の可能な実装形態を示す。入力信号１１は、インターレース形式（５０Ｈｚまたは１００Ｈｚ）でＴＶシャーシ（またはフロントエンドユニット）から到達している。次いで、この入力信号１１は、例えばいわゆるＰＲＯＳＣＡＮ変換によって（ＴＶシャーシ／フロントエンド内、または追加のブロック内で）プログレッシブ形式に変換されて、５０Ｈｚまたは１００Ｈｚのリフレッシュレートを有するプログレッシブ信号１２となる。このプログレッシブ信号１２は、通常どおり標準的なＯＬＥＤ処理ブロック１３に転送される。次いで、このブロック１３からの出力は、２つのモードで動作することができるアナログサブフレーム符号化ブロック１４内のトランスコーディングテーブルに転送される。
−５０Ｈｚでの入力−  トランスコーディングテーブルは、所与の画素にｎ＋ｎ’個の値を送達し、ここで図８に示されるように、ｎは、表示されるフレームの第１の部分、ｎ’はその第２の部分の、アナログサブフィールドの数である。この場合、第１の期間（Ｔ／２）のサブフレームおよび第２の期間のサブフレームが、同じビデオ値から抽出される。システム全体は、２０ｍｓベースで動作している。必要ならば、同じことを６０Ｈｚソースに適用することができる。
−１００Ｈｚでの入力−  トランスコーディングテーブルは、表示されるべきピクチャからのｎ個の値のみ、すなわち奇数ピクチャに１組のｎ、偶数ピクチャに１組のｎ（＝ｎ’）を送達する。この場合、第１の期間（Ｔ／２）のサブフレームおよび第２の期間のサブフレームは、１つは奇数フレームから生じ、１つは偶数フレームから生じる、異なるビデオ値から抽出される。システム全体は、１０ｍｓベースで動作している。この最後の概念には、ちらつきのない、非常に高レベルの動き表現がもたらされるという利点がある。必要ならば、同じことを１２０Ｈｚソースに適用することができる。
【００３７】
符号化ブロック１４からの全ての出力は、サブフィールドメモリ１５の異なる位置に格納され、サブフィールドメモリ１５は最終的に、列ドライバ１７に必要な解像度をそれぞれが有するｎ＋ｎ’個のフレームを含む。その後、ＯＬＥＤ駆動ユニット１６は、メモリ１５から、所与のサブフレームｋの全画素値を読み取ってから、サブフレームｋ＋１の同じ情報を読み取ることになる。ＯＬＥＤ駆動ユニット１６は、ディスプレイ１８の全画素をこの情報で更新するのを担当し、２つのディスプレイ操作間の継続時間（所与のサブフレームの期間Ｄｎ、図３を比較されたい）についても担当する。メモリ１５は、どんな競合も回避するように、情報記憶のための２つの領域、すなわち書き込み用に１領域、および読み取り用に１領域、を含まなければならない。これらの領域は、フレーム間で入れ替えられる。
【００３８】
ＯＬＥＤ駆動ユニットは、列駆動データを列ドライバ１７に、行駆動データを行ドライバ１９に送信する。列ドライバ１７と行ドライバ１９はどちらも、ＡＭＯＬＥＤディスプレイ１８を駆動する。
【００３９】
コントローラ２０は、正しいディスプレイ形式の選択に関与する。
−ＰＣモード−  サブフレームのないビデオフレーム、または、対応する基本データ信号が図５で示されるように同じ最大値を有する複数のサブフレームを有するビデオフレームを使用する、標準ディスプレイ。
−ビデオモード１−  周波数倍増を伴わないグレースケール表現を使用する、ちらつきが重大ではない入力用（６０Ｈｚ未満で小型のディスプレイ、より高いフレームレート）。
−ビデオモード２−  本発明の方法に対応する周波数倍増を伴うグレースケール表現を使用する、ちらつきが重大な入力用（５０Ｈｚ、クローズビュー（close-view）のディスプレイ、大型のディスプレイ）。
【００４０】
コントローラ２０は、ＯＬＥＤ処理ブロック１３、サブフレーム符号化ブロック１４、およびＯＬＥＤ駆動ユニット１６に接続される。さらに、コントローラ２０は、１組の基準電圧または基準電流をそれぞれ列ドライバ１７に提供するために、基準信号ブロック２１に接続される。最高基準が白色、および最低または最小グレーレベル用に使用される。
【図面の簡単な説明】
【００４１】
【図１】ＡＭＯＬＥＤの電子装置の図である。
【図２】ＡＭＯＬＥＤドライバの図である。
【図３】アナログサブフレームを有するＡＭＯＬＥＤグレースケール表現を示す図である。
【図４】アナログサブフレームを有する特定のグレースケール表現を示す図である。
【図５】アナログサブフレームを有する代替グレースケール表現を示す図である。
【図６】人間の網膜の機能の仕様を示す図である。
【図７】目の時間応答を示す図である。
【図８】アナログサブフレームにおいて周波数倍増を伴うＡＭＯＬＥＤグレースケール表現を示す図である。
【図９】実装の概念を示す図である。
【図１】
0005583910.tif 000002
【図２】
0005583910.tif 000003
【図３】
0005583910.tif 000004
【図４】
0005583910.tif 000005
【図５】
0005583910.tif 000006
【図６】
0005583910.tif 000007
【図７】
0005583910.tif 000008
【図８】
0005583910.tif 000009
【図９】
0005583910.tif 000010